(57)【特許請求の範囲】
【請求項１】
収納空間を形成する垂直側板の前記収納空間に面する側面には、前後両側辺に近い位置で当該前後両側辺それぞれに沿った高さ方向一定間隔おきの位置に取付け孔が設けられ、これら取付け孔から選択された特定取付け孔に取付け用具を介して各種部材が前記垂直側板の側面に取り付けられる収納用構造体の組立てに使用する組立て案内シートであって、前記垂直側板の側面に当該垂直側板の高さ方向と平行に当て付けることが出来るテープ状シートに、前記垂直側板の一端側特定位置に位置合わせするための位置合わせ部と、この位置合わせ部を前記垂直側板の一端側特定位置に合致させた状態で当該テープ状シートを前記垂直側板の高さ方向と平行に当て付けたときに前記特定取付け孔を指し示す第一表示と、この第一表示に併記する状態で、前記特定取付け孔に対して使用する取付け用具及び取り付ける各種部材を表示する第二表示が設けられている、収納用構造体の組立て案内シート。
【請求項２】
前記テープ状シートは、前記垂直側板の前後両側辺それぞれに沿った取付け孔の列間に配置したとき、当該シートの両側辺が取付け孔の列それぞれに接近する巾を有し、このテープ状シートには、その両側辺それぞれに接近する取付け孔の列に対応させて前記第一表示が左右一対表示され、この左右一対の第一表示の中間位置に前記第二表示が配設されている、請求項１に記載の収納用構造体の組立て案内シート。
【請求項３】
収納空間を形成する垂直側板の前記収納空間に面する側面には、前後両側辺に近い位置で当該前後両側辺それぞれに沿った高さ方向一定間隔おきの位置に取付け孔が設けられ、これら取付け孔から選択された特定取付け孔に取付け用具を介して各種部材が前記垂直側板の側面に取り付けられる収納用構造体の組立てに使用する組立て案内シートであって、前記垂直側板の側面に当該垂直側板の高さ方向と平行に当て付けることが出来るテープ状シートと別シートから成り、前記テープ状シートには、前記垂直側板の一端側特定位置に位置合わせするための位置合わせ部と、この位置合わせ部を前記垂直側板の一端側特定位置に合致させた状態で当該テープ状シートを前記垂直側板の高さ方向と平行に当て付けたときに前記特定取付け孔を指し示す第一表示が設けられ、前記別シートには、前記特定取付け孔に対して使用する取付け用具及び取り付ける各種部材を表示する第二表示が設けられ、前記テープ状シート上の第一表示と前記別シート上の第二表示には、対応する表示どうしを照合させるため符号が付されている、収納用構造体の組立て案内シート。
【請求項４】
前記テープ状シートの表面には、前記第一表示として、当該テープ状シートの片側の取付け孔の列に向かう矢印のみが設けられている、請求項３に記載の収納用構造体の組立て案内シート。
【請求項５】
前記テープ状シートには、前記第一表示として、当該テープ状シートの左右両側の内の一方の取付け孔の列に向かう矢印と当該テープ状シートの左右両側の内の他方の取付け孔の列に向かう矢印とが設けられている、請求項３に記載の収納用構造体の組立て案内シート。
【請求項６】
前記テープ状シートの位置合わせ部は、前記垂直側板の一端に沿って折曲する折り線から構成されている、請求項１〜５の何れか１項に記載の収納用構造体の組立て案内シート。
【発明の詳細な説明】
【技術分野】
【０００１】
本発明は、収納用構造体の組立て作業を容易且つ正確に行えるようにするための組立て案内シートに関するものである。
【背景技術】
【０００２】
収納用構造体として、特許文献を示すまでもなく、収納空間を区画する左右両側の垂直側板間に、ユーザーの希望する各種部材、例えば高さ一定の固定棚、高さ変更可能な可動棚、ハンガーを吊り下げるハンガー支持パイプ、出し入れ自在な引出しなどの各種部材を、ユーザーの希望する高さに架設出来るように構成されたものが知られている。このような造り付け又は据置き型の収納用構造体では、前記垂直側板の収納空間に面する内側面に、この垂直側板の前後両側辺に近い位置で当該前後両側辺それぞれに沿った高さ方向一定間隔おきの位置に取付け孔が設けられ、これら取付け孔から選択された希望高さの特定取付け孔に、ジョイントシャフト（受け軸）やネジなどの取付け用具を介して前記各種部材が取り付けられる。
【発明の概要】
【発明が解決しようとする課題】
【０００３】
上記のような収納用構造体の組立て作業に際して、ジョイントシャフトやネジなどの取付け用具を取り付けるための取付け孔の選択を誤ると、左右両側の垂直側板間に架設される各種部材が左右方向や前後奥行き方向に関して傾斜することになる。従来は、このような問題点を解決するのに役立つような手段は、特に考えられていなかったので、比較的狭い上下間隔で設けられている非常に数多くの取付け孔から、例えば上端の取付け孔や下端の取付け孔、又は他の何らかの目印になるものを基準に取付け孔の数を勘定して、目的の特定取付け孔を選択しなければならず、大型の収納用構造体になればなるほど組立てに手間と時間がかかる結果となっていた。
【課題を解決するための手段】
【０００４】
本発明は、上記のような従来の問題点を解消することの出来る収納用構造体の組立て案内シートを提案するものであって、第一発明に係る収納用構造体の組立て案内シートは、後述する実施例との関係を理解し易くするために、当該実施例の説明において使用した参照符号を括弧付きで付して示すと、収納空間(3) を形成する垂直側板(2A,2B) の前記収納空間(3) に面する側面には、前後両側辺に近い位置で当該前後両側辺それぞれに沿った高さ方向一定間隔おきの位置に取付け孔(15,16) が設けられ、これら取付け孔(15,16) から選択された特定取付け孔に取付け用具（ジョイントシャフト(19)、ネジ(23)など）を介して各種部材（天板(5) 、パイプ受け部材(21)など）が前記垂直側板(2A,2B) の側面に取り付けられる収納用構造体の組立てに使用する組立て案内シートであって、前記垂直側板(2A,2B) の側面に当該垂直側板(2A,2B) の高さ方向と平行に当て付けることが出来るテープ状シート(25a) に、前記垂直側板(2A,2B) の一端側特定位置に位置合わせするための位置合わせ部(26)と、この位置合わせ部(26)を前記垂直側板(2A,2B) の一端側特定位置に合致させた状態で当該テープ状シート(25a)を前記垂直側板(2A,2B)の高さ方向と平行に当て付けたときに前記特定取付け孔を指し示す第一表示(27a,29a…) と、この第一表示(27a,29a…)
に併記する状態で、前記特定取付け孔に対して使用する取付け用具（ジョイントシャフト(19)、ネジ(23)など）及び取り付ける各種部材（天板(5) 、パイプ受け部材(21)など）を表示する第二表示(28,30…) が設けられた構成になっている。
【０００５】
又、第二発明に係る収納用構造体の組立て案内シートは、収納空間(3) を形成する垂直側板(2A,2B) の前記収納空間(3) に面する側面には、前後両側辺に近い位置で当該前後両側辺それぞれに沿った高さ方向一定間隔おきの位置に取付け孔(15,16) が設けられ、これら取付け孔(15,16) から選択された特定取付け孔に取付け用具（ジョイントシャフト(19)、ネジ(23)など）を介して各種部材（天板(5) 、パイプ受け部材(21)など）が前記垂直側板(2A,2B) の側面に取り付けられる収納用構造体の組立てに使用する組立て案内シートであって、前記垂直側板(2A,2B) の側面に当該垂直側板(2A,2B) の高さ方向と平行に当て付けることが出来るテープ状シート(33)と別シート(34)から成り、前記テープ状シート(33)には、前記垂直側板(2A,2B)の一端側特定位置に位置合わせするための位置合わせ部(26)と、この位置合わせ部(26)を前記垂直側板(2A,2B) の一端側特定位置に合致させた状態で当該テープ状シート(33)を前記垂直側板(2A,2B) の高さ方向と平行に当て付けたときに前記特定取付け孔を指し示す第一表示(27,29…) が設けられ、前記別シート(34)には、前記特定取付け孔に対して使用する取付け用具（ジョイントシャフト(19)、ネジ(23)など）及び取り付ける各種部材（天板(5) 、パイプ受け部材(21)など）を表示する第二表示(28,30…)が設けられ、前記テープ状シート(33)上の第一表示(27,29…)と前記別シート(34)上の第二表示(28,30…) には、対応する表示どうしを照合させるため符号(36a,36b…,37a,37b…) が付された構成に成っている。
【発明の効果】
【０００６】
上記第一発明の構成によれば、ユーザーの希望する取付け部材やその取付け高さに応じて、予め一端側に前記位置合わせ部が設けられた所要長さの前記テープ状シートに、ユーザーの希望する取付け部材やその取付け高さに応じて、前記第一表示と第二表示を設けておくことにより、組立て作業者は、当該テープ状シートを、その位置合わせ部を垂直側板の一端側特定位置に合致させた状態で当該テープ状シートを、前記垂直側板の取付け孔の列に沿って垂直側板の高さ方向と平行に当て付けるだけで、このテープ状シート上の前記第一表示が指し示す特定取付け孔に、第二表示から知ることが出来る取付け用具を介して、同じく第二表示から知ることが出来る各種部材を取り付ければ良いことが判る。従って、高さが高い垂直側板に小間隔で非常に数多くの取付け孔が準備され且つ取り付けるべき各種部材の数も多くなる大型の収納用構造体の組立てに際しても、所定通りの高さに所定の部材が取り付けられた収納用構造体を非常に能率良く組み立てることが出来る。しかもその手段は、紙などの１枚のテープ状シート上に第一表示と第二表示とを印刷しただけのものであって、極めて安価に実施することが出来ると共に、取り扱いも容易である。
【０００７】
前記テープ状シート(25a) には、前記垂直側板(2A,2B)
の前後両側辺それぞれに沿った取付け孔(15,16) の列間に配置したとき、当該シート(25a) の両側辺が取付け孔(15,16)の列それぞれに接近する巾を有せしめると共に、当該テープ状シート(25a) の両側辺それぞれに接近する取付け孔(15,16) の列に対応させて前記第一表示(27a,27b,29a,29b…) を左右一対表示し、この左右一対の第一表示(27a,27b,29a,29b…) の中間位置に前記第二表示(28,30…) を配設することが出来る。この構成によれば、テープ状シートの巾は広くなるが、１枚のテープ状シートを前記垂直側板の前後両側辺それぞれに沿った取付け孔の列間に配置するだけで、当該前後両側辺それぞれに沿った取付け孔の列に対する部材取付け対象の取付け孔の特定が行えるので、作業効率を高めることが出来る。
【０００８】
又、上記第二発明の構成によれば、テープ状シートと別シートの２枚のシートを取り扱わなければならないが、前記特定取付け孔に対して使用する取付け用具及び取り付ける各種部材を表示する第二表示のための表示スペースを十分大きくとることが出来、この第二表示の表示内容を取り付け方法なども含めて詳細に判り易く表示することが可能になる。又、実際に垂直側板の側面に当て付けなければならないテープ状シートは巾の細い取り扱い易いサイズとすることが出来る。
【０００９】
尚、テープ状シートの一端側に必要な位置合わせ部は、例えば当該テープ状シートの一端辺そのものとし、このテープ状シートの一端辺を前記垂直側板の一端に一致させて使用するものであっても良いが、前記垂直側板の一端に沿って折曲する折り線（折る位置を示す線(26a,33a) など）から構成するときは、前記垂直側板の一端に対するテープ状シートの一端側の位置合わせが容易且つ正確に行える。勿論、テープ状シートの前記垂直側板の一端に沿って折曲した部分をセロファンテープなどにより固定することも出来るが、前記折り線より外側のテープ状シートの遊端部の裏側に両面粘着テープを前以て貼付しておけば、一層作業性を向上させることが出来る。
【図面の簡単な説明】
【００１０】
【図１】図１は、収納用構造体の一例を示す一部切欠き斜視図である。
【図２】図２Ａは、同上収納用構造体の正面図、図２Ｂは、図２ＡのＡ−Ａ線断面図、図２Ｃは、図２ＡのＢ−Ｂ線断面図である。
【図３】図３Ａは、天板又は固定棚の支持構造を示す要部の分解斜視図、図３Ｂは、可動棚の支持構造を示す要部の分解斜視図である。
【図４】図４は、ハンガー支持パイプの支持構造を示す要部の分解斜視図である。
【図５】図５は、組立て案内シートの一例を示す平面図である。
【図６】図６は、同上組立て案内シートの使用状態を示す要部の斜視図である。
【図７】図７Ａは、組立て案内シートの他の実施例におけるテープ状シートの平面図、図７Ｂは、図７Ａに示すテープ状シートと併用する別シートを示す平面図である。
【図８】図８は、図７Ａのテープ状シートの使用状態を示す要部の正面図である。
【図９】図９は、更に別の組立て案内シートにおけるテープ状シートの使用状態を示す要部の正面図である。
【発明を実施するための形態】
【００１１】
収納用構造体の一例を図１及び図２に基づいて説明すると、この収納用構造体１は、３枚の垂直側板２Ａ〜２Ｃによって左右横方向に並列する巾の広い第一収納区画３と巾の狭い第二収納区画４とを備えており、第一収納区画３は、上端の天板（この上側に収納区画を確保出来るときは固定棚となる）５と高さの変更が可能な可動棚６とによって、上側収納空間３ａと下側収納空間３ｂとに分割され、上側収納空間３ａの上端には、左右両側の垂直側板２Ａ，２Ｂ間にハンガー支持パイプ７が架設されている。第二収納区画４は、上端の天板（この上側に収納区画を確保出来るときは固定棚となる）８と中間高さの固定棚９とによって、上側収納空間４ａと下側収納空間４ｂとに分割され、上側収納空間４ａの上端には、左右両側の垂直側板２Ｂ，２Ｃ間にハンガー支持パイプ１０が架設され、下側収納空間４ｂは、片側の垂直側板２Ｃに上下一対の蝶番１１ａ，１１ｂで開閉自在に軸支された開閉扉１２によって開閉されるもので、その中間高さには、高さの変更が可能な可動棚１３が設けられている。尚、第二収納区画４における上側収納空間４ａに面する垂直側板２Ｃの内側面には、その前側辺寄りの位置に折り畳み収納自在なハンガー仮掛け具１４が取り付けられている。
【００１２】
各垂直側板２Ａ〜２Ｃには、その収納区画３，４側の内側面（従って中間の垂直側板２Ｂは、その両側面）に、前後両側辺に近い位置で当該前後両側辺それぞれに沿った高さ方向一定間隔おき（例えば3.2mm 間隔）の位置に取付け孔１５，１６が、前側辺側の各取付け孔１５と後側辺側の各取付け孔１６が同一レベルに位置するように設けられている。各取付け孔１５，１６は、図３に示すように、一定深さの円柱状孔に雌ネジ孔付き円筒体１７を圧入固定して構成されている。
【００１３】
図３Ａに示すように、各天板５，８と固定棚９は、その垂直側板２Ａ〜２Ｃに隣接する長さ方向両端の下側面の前後奥行き方向の両端近傍２箇所に予めジョイントシャフト固定金具１８が埋設されており、垂直側板２Ａ〜２Ｃの各天板５，８と固定棚９が支持されるレベルに位置する前後一対の取付け孔１５，１６には、これら取付け孔１５，１６が備える雌ネジ孔付き円筒体１７内にねじ込んで固定されるジョイントシャフト１９が取り付けられている。このようにして垂直側板２Ａ〜２Ｃに取り付けられたジョイントシャフト１９は、垂直側板２Ａ〜２Ｃから突出する軸部先端に大径頭部１９ａを備えており、このジョイントシャフト１９の大径頭部１９ａに対してジョイントシャフト固定金具１８の係合凹部が上から嵌合するように、各天板５，８が垂直側板２Ａ，２Ｂ間に上から嵌め込まれ、そして垂直側板２Ｂ，２Ｃ間に固定棚９が上から嵌め込まれる。この状態で各ジョイントシャフト固定金具１８が内蔵する回転体をドライバーにて回転操作することにより、嵌まり込んだジョイントシャフト１９の大径頭部１９ａがジョイントシャフト固定金具１８に対して固定される。尚、このジョイントシャフト固定金具１８には、その内蔵回転体を天板や固定棚の下側から回転操作出来るものの他、天板や固定棚の上側からドライバーを差し込んで回転操作出来るものがあり、天板や固定棚の上側に収納空間が有るか否かによって使い分けることが出来る。
【００１４】
図３Ｂに示すように、可動棚６，１３は、前記天板５，８及び固定棚９が備えるジョイントシャフト固定金具１８と同じように予めジョイントシャフト係合金具２０が埋設されており、垂直側板２Ａ〜２Ｃの各可動棚６，１３が支持されるレベルに位置する前後一対の取付け孔１５，１６には、前記ジョイントシャフト１９が取り付けられている。このジョイントシャフト１９の大径頭部１９ａに対してジョイントシャフト係合金具２０の係合凹部が上から嵌合するように、各可動棚６，１３が垂直側板２Ａ，２Ｂ間及び垂直側板２Ｂ，２Ｃ間に上から嵌め込まれ、各可動棚６，１３が所定レベルに支持される。この場合は、ジョイントシャフト１９の大径頭部１９ａによってジョイントシャフト係合金具２０が支持されているだけであるから、可動棚６，１３は上に持ち上げて取り外すことが出来るので、別の高さにジョイントシャフト１９を付けかえて可動棚６，１３の支持高さを変更することが出来る。
【００１５】
蝶番１１ａ，１１ｂやハンガー仮掛け具１４の取付け構造は図示していないが、従来周知のように、垂直側板２Ｂ，２Ｃの前側辺側の取付け孔１５の列から、蝶番１１ａ，１１ｂやハンガー仮掛け具１４の取付け高さに位置する上下２つの取付け孔１５を選択し、これら上下２つの取付け孔１５（雌ネジ孔付き円筒体１７）にねじ込まれる上下２本のネジにより蝶番１１ａ，１１ｂやハンガー仮掛け具１４が取り付けられる。
【００１６】
図２Ｂ，Ｃ及び図４に示すように、ハンガー支持パイプ１０は、垂直側板２Ａ〜２Ｃの前後奥行き方向の巾より少し短い程度の長さのパイプ受け部材２１が併用されるもので、このパイプ受け部材２１の上側辺中央位置に設けられた凹部２２にハンガー支持パイプ１０の端部が上から嵌め込まれる。そしてパイプ受け部材２１には、その両端に位置するように、垂直側板２Ａ〜２Ｃの前後対をなす取付け孔１５，１６と同一の間隔で２つの取付け孔２１ａが設けられているので、この取付け孔２１ａを挿通させたネジ２３を、垂直側板２Ａ〜２Ｃのハンガー支持パイプ１０を支持させる高さに位置する前後一対の取付け孔１５，１６（雌ネジ孔付き円筒体１７）にねじ込んで、垂直側板２Ａ〜２Ｃに左右一対のパイプ受け部材２１を取り付け、これら両パイプ受け部材２１の凹部２２にハンガー支持パイプ１０の端部を嵌合させることにより、ハンガー支持パイプ１０が収納空間３ａ，４ａの上端部に水平に架設される。尚、パイプ受け部材２１を取り付けるネジ２３の突出する頭部には、プラスチック製のキャップ２４が被せられる。
【００１７】
以上のように構成される収納用構造体１を実際に組み立てる場合に使用する組立て案内シートについて説明すると、この組立て案内シートは、原則として収納区画３，４を形成する垂直側板２Ａ，２Ｂの内側面毎に作成されるものであり、図５に示す組立て案内シート２５は、垂直側板２Ａ，２Ｂの収納区画３に面する側面用の１枚の巾広テープ状シート２５ａから成るものである。この実施例では、収納区画３を「スパン１」と表示している。この組立て案内シート２５は、垂直側板２Ａ〜２Ｃの前後２列の取付け孔１５，１６の列間の間隔より少し狭い程度の横巾と、少なくとも垂直側板２Ａ，２Ｂの上端から最も低位置に取り付けられる部材、ここでは中間の可動棚６の取付け位置までの高さより少し長い程度の全長を有する、例えば紙製の巾広テープ状シート２５ａで構成されているが、取付け部材の配置などに関係なく、全ての垂直側板２Ａ〜２Ｃの側面に対して利用出来るように、これら垂直側板２Ａ〜２Ｃの全高に合わせた長尺の巾広テープ状シート２５ａで構成することも出来る。
【００１８】
図５に示す組立て案内シート２５の巾広テープ状シート２５ａは、その一端近くに、垂直側板２Ａ，２Ｂの上端側の特定位置、例えば上端縁に位置合わせするための位置合わせ部２６、垂直側板２Ａ，２Ｂの前後両取付け孔１５，１６の内、天板５を取り付ける位置にある取付け孔１５，１６を指し示す第一表示２７ａ，２７ｂとこの取付け孔１５，１６に対する取付け用具及び取付け部材を説明する第二表示２８、垂直側板２Ａ，２Ｂの前後両取付け孔１５，１６の内、ハンガー支持パイプ１０のパイプ受け部材２１を取り付ける位置にある取付け孔１５，１６を指し示す第一表示２９ａ，２９ｂとこの取付け孔１５，１６に対する取付け用具及び取付け部材を説明する第二表示３０、及び垂直側板２Ａ，２Ｂの前後両取付け孔１５，１６の内、可動棚６を取り付ける位置にある取付け孔１５，１６を指し示す第一表示３１ａ，３１ｂとこの取付け孔１５，１６に対する取付け用具及び取付け部材を説明する第二表示３２が設けられている。
【００１９】
位置合わせ部２６は、巾広テープ状シート２５ａを横断する折り線２６ａから成り、この折り線２６ａに沿って巾広テープ状シート２５ａを裏側へ折曲することにより、巾広テープ状シート２５ａの上端部に、図６に示すように、垂直側板２Ａ，２Ｂの上端面２ａ，２ｂに当接させる折曲当接領域２５ｂを形成することが出来る。
【００２０】
各第一表示２７ａ，２７ｂ、２９ａ，２９ｂ、及び３１ａ，３１ｂは、巾広テープ状シート２５ａの長さ方向に対して直角向きで当該巾広テープ状シート２５ａの前後両側辺に隣接する端部が矢先端となる前後一対の矢印から成り、第二表示２８は、第一表示２７ａ，２７ｂが指し示す取付け孔１５，１６に取り付けるジョイントシャフト１９を図示するジョイントシャフト図２８ａと当該ジョイントシャフト１９を使用して天板５を取り付ける説明図２８ｂから成り、第二表示３０は、第一表示２９ａ，２９ｂが指し示す取付け孔１５，１６に取り付けるネジ２３とキャップ２４を図示するネジ及びキャップ図３０ａと当該ネジ２３を使用してパイプ受け部材２１を取り付ける説明図３０ｂから成り、そして第二表示３２は、第一表示３１ａ，３１ｂが指し示す取付け孔１５，１６に取り付けるジョイントシャフト１９を図示するジョイントシャフト図３２ａと当該ジョイントシャフト１９を使用して可動棚６を取り付ける説明図３２ｂから成る。勿論、各図には、取付け用具の名称や組み立て方法などの説明文を必要に応じて併記することが出来る。又、図と表現しているものは写真を含むことは当然である。
【００２１】
上記の組立て案内シート２５を使用するときは、巾広テープ状シート２５ａの上端側の折り線２６ａに沿って巾広テープ状シート２５ａを裏側へ折曲して折曲当接領域２５ｂを形成し、この折曲当接領域２５ｂを垂直側板２Ａ，２Ｂの上端面２ａ，２ｂに当接させるようにして位置決めした状態で、巾広テープ状シート２５ａを垂直側板２Ａ，２Ｂの前後２列の取付け孔１５，１６の列間に当該垂直側板２Ａ，２Ｂの高さ方向に沿って弛みなく展張させる。この結果、前後一対の第一表示２７ａ，２７ｂが指し示す特定の取付け孔１５，１６には、第二表示２８のジョイントシャフト図２８ａと説明図２８ｂから、ジョイントシャフト１９をねじ込んで取り付け、これらジョイントシャフト１９に天板５の端部のジョイントシャフト固定金具１８を嵌合させると共に当該ジョイントシャフト固定金具１８を操作して、天板５の端部を支持固定させれば良いことが判る。又、前後一対の第一表示２９ａ，２９ｂが指し示す特定の取付け孔１５，１６には、第二表示３０のネジ及びキャップ図３０ａと説明図３０ｂから、パイプ受け部材２１の両端の取付け孔２１ａに挿通させたネジ２３をねじ込んでパイプ受け部材２１を取り付け、このパイプ受け部材２１から突出している各ネジ２３の頭部にキャップ２４を被せ、パイプ受け部材２１の凹部２２にハンガー支持パイプ１０の端部を嵌合支持させれば良いことが判る。そして、前後一対の第一表示３１ａ，３１ｂが指し示す特定の取付け孔１５，１６には、第二表示３２のジョイントシャフト図３２ａ及び説明図３２ｂから、ジョイントシャフト１９をねじ込んで取り付け、これらジョイントシャフト１９に可動棚６の端部のジョイントシャフト係合金具２０を嵌合させて支持させれば良いことが判る。
【００２２】
以上のようにして、収納区画３を完成させるのであるが、実際の組立てに際しては、上記のように巾広テープ状シート２５ａを利用して垂直側板２Ａ，２Ｂの収納区画３に面する側面の所定位置にジョイントシャフト１９やパイプ受け部材２１を取り付け、更に、垂直側板２Ｂ，２Ｃの収納区画４に面する側面に対する各種部材、即ち、天板８、ハンガー支持パイプ１０、ハンガー仮掛け具１４、固定棚９、蝶番１１ａ，１１ｂ、及び可動棚１３の取り付けに使用出来るように、前記巾広テープ状シート２５ａと同じように作成された組立て案内シートを利用して、これら垂直側板２Ｂ，２Ｃの収納区画４に面する側面に対する各種部材又はその取付け用具を取り付けたならば、これら垂直側板２Ａ〜２Ｃ間に天板５，８及び固定棚９を所定位置に架設して各垂直側板２Ａ〜２Ｃどうしを連結一体化し、最後にハンガー支持パイプ１０、可動棚１３、ハンガー仮掛け具１４、及び開閉扉１２を取り付けることになる。
【００２３】
尚、垂直側板２Ａ，２Ｂの収納区画３に面する側面に対しては、各種部材の全てが対称に取り付けられるので、これら垂直側板２Ａ，２Ｂの収納区画３に面する側面に対する組立て案内シートは、上記のように同一の巾広テープ状シート２５ａを利用出来るが、垂直側板２Ｂ，２Ｃの収納区画４に面する側面に対しては、各種部材の全てが対称に取り付けられるのではなく、ハンガー仮掛け具１４や蝶番１１ａ，１１ｂは、垂直側板２Ｃの収納区画４に面する側面にのみ取り付けられるので、垂直側板２Ｂの収納区画４に面する側面用の組立て案内シート（巾広テープ状シート２５ａ）と垂直側板２Ｃの収納区画４に面する側面用の組立て案内シート（巾広テープ状シート２５ａ）とに分けて準備するのが好ましい。勿論、共通の１枚の組立て案内シート（巾広テープ状シート２５ａ）に、垂直側板２Ｂの収納区画４に面する側面用の組立て案内のための第一表示と第二表示、及び垂直側板２Ｃの収納区画４に面する側面用の組立て案内のための第一表示と第二表示を、例えば色分けするなど、使用者が区別出来る状態で併記しても良い。
【００２４】
上記実施例では、１枚の巾広テープ状シート２５ａに、前後両側の取付け孔１５の列と取付け孔１６の列の両方に各別に対応する左右一対の第一表示を設けたが、片側の取付け孔の列にのみ対応するように第一表示を一列状に設けたものであっても良い。又、１枚の巾広テープ状シート２５ａに、各種部材を取り付ける特定取付け孔の位置を示す第一表示と当該特定取付け孔に取り付ける取付け用具や取付け部材の情報を示す第二表示の両方を、両表示を併記させる状態で設ける構成を示したが、第二表示の表示には、第一表示の表示と比べて大きなスペースを要するので、第一表示のみを表示するテープ状シートと、第二表示のみを表示する別シートに分けて、組立て案内シートを構成することも出来る。
【００２５】
図７及び図８は、第一表示のみを表示する巾狭テープ状シート３３と、第二表示のみを表示する別シート３４に分けて構成した組立て案内シート３５を示している。巾狭テープ状シート３３は、垂直側板２Ａ，２Ｂの収納区画３側の側面前後両取付け孔１５，１６の列に対して共用出来る巾の狭いテープ状シートであって、この巾狭テープ状シート３３には、先の実施例と同様に、折れ線３３ａから成る位置合わせ部２６、天板５を取り付ける位置にある取付け孔１５／１６を指し示す矢印から成る第一表示２７、ハンガー支持パイプ１０のパイプ受け部材２１を取り付ける位置にある取付け孔１５／１６を指し示す矢印から成る第一表示２９、及び可動棚６を取り付ける位置にある取付け孔１５／１６を指し示す矢印から成る第一表示３１が設けられている。
【００２６】
別シート３４には、上記実施例のジョイントシャフト図２８ａと説明図２８ｂを表示したエリアから成る第二表示２８、ネジ及びキャップ図３０ａと説明図３０ｂを表示したエリアから成る第二表示３０、及びジョイントシャフト図３２ａと説明図３２ｂを表示したエリアから成る第二表示３２がそれぞれ設けられている。そして、第一表示２７，２９，３１の矢印に併記されたそれぞれ異なる符号３６ａ〜３６ｃと同一の符号３７ａ〜３７ｃが、各第一表示２７，２９，３１に対応する各第二表示２８，３０，３２に併記されている。又、この別シート３４には十分な表示スペースがあるので、使い方などの説明文も表示することが出来る。
【００２７】
巾狭テープ状シート３３は、先の実施例の組立て案内シート２５の巾広テープ状シート２５ａと同様に、図８に示すように、裏側に折曲された折れ線３３ａの位置を垂直側板２Ａ，２Ｂの上端縁に沿わせるように位置決めした状態で、片側の取付け孔１５／１６の列に沿うように垂直側板２Ａ，２Ｂの側面上に展張させる。そして、各第一表示２７，２９，３１に併記された符号３６ａ〜３６ｃと別シート３４上の符号３７ａ〜３７ｃとを照合し、各第一表示２７，２９，３１に対応する第二表示２８，３０，３２の内容を確認し、第一表示２７が指し示す特定の取付け孔１５／１６には、第二表示２８のジョイントシャフト図２８ａと説明図２８ｂが示すところに従って、ジョイントシャフト１９を介して天板５を取り付け、第一表示２９が指し示す特定の取付け孔１５／１６には、第二表示３０のネジ及びキャップ図３０ａと説明図３０ｂが示すところに従って、ネジ２３を使用してパイプ受け部材２１を取り付け、ネジ２３の頭部にはキャップ２４を被せると共に、パイプ受け部材２１の凹部２２にハンガー支持パイプ１０の端部を嵌合させ、第一表示３１が指し示す特定の取付け孔１５／１６には、第二表示３２のジョイントシャフト図３２ａと説明図３２ｂが示すところに従って、ジョイントシャフト１９を介して可動棚１３を取り付けることが出来る。
【００２８】
尚、上記の巾狭テープ状シート３３では、各第一表示２７，２９，３１の矢印の向きによって、当該巾狭テープ状シート３３を前後両側の取付け孔１５，１６の列間に配置するとき、この巾狭テープ状シート３３を沿わせるべき取付け孔の列が決まってしまう。図８では、前側の取付け孔１５の列に沿って巾狭テープ状シート３３を沿わせることになり、反対側の取付け孔１６の列に対して沿わせるときには、当該取付け孔１６の列とこの取付け孔１６の列の直ぐ外側に位置する垂直側板２Ａ，２Ｂの横側辺との間の巾の狭い領域に巾狭テープ状シート３３を配置しなければならない。勿論、この巾狭テープ状シート３３の裏面に貼付した両面粘着テープによって、巾狭テープ状シート３３を所定位置に位置決め出来るようにしても良いが、この巾狭テープ状シート３３の裏面側にも表面と同じ第一表示２７，２９，３１を表示させておけば、反対側の取付け孔１６の列に対して巾狭テープ状シート３３を沿わせるときには、当該巾狭テープ状シート３３を裏返しにすることにより、前後両側の取付け孔１５，１６の列間で反対側の取付け孔１６の列に対して巾狭テープ状シート３３を沿わせ、裏面側の各第一表示２７，２９，３１を利用して作業を遂行出来る。
【００２９】
上記のように巾狭テープ状シート３３の表面側と裏面側の両方に第一表示２７，２９，３１を設けるよりも、図９に示すように、巾狭テープ状シート３３の表面にのみ設ける各第一表示２７，２９，３１を、この巾狭テープ状シート３３のほぼ全巾に及ぶ長さで両端に矢印を備えたものとすることにより、巾狭テープ状シート３３を前後両側の取付け孔１５，１６の列間で横動させるだけで、前後何れの取付け孔１５，１６に対しても部材取付け対象の特定の取付け孔の選定が容易に行える。
【００３０】
以上のような巾狭テープ状シート３３と別シート３４を組み合わせて組立て案内シート３５を構成する場合は、基本的には垂直側板２Ａ〜２Ｃの全ての取付け孔１５，１６の列毎に、それぞれ８枚の巾狭テープ状シート３３と別シート３４を準備することになるが、部材の取付け高さと取付け用具が同一の取付け孔１５，１６の列に対しては、同一の巾狭テープ状シート３３と別シート３４を共用させることが出来る。図１に示す収納用構造体１の場合であれば、垂直側板２Ａ，２Ｂの収納区画３に面する側面にある合計４つの取付け孔１５，１６の列に対しては、共通の１枚の巾狭テープ状シート３３と別シート３４を準備し、垂直側板２Ｂ，２Ｃの収納区画４に面する側面にある合計４つの取付け孔１５，１６の列に対しては、垂直側板２Ｂの前後両側の取付け孔１５，１６の列と、垂直側板２Ｃの後側の取付け孔１６の列の３列に対して共通の１枚の巾狭テープ状シート３３と別シート３４を準備し、垂直側板２Ｃの前側の取付け孔１５の列に対する１枚の巾狭テープ状シート３３と別シート３４を準備すれば良い。
【００３１】
尚、各実施例において、第一表示を矢印で示したが、作業者に特定の取付け孔１５，１６を指し示すことが出来るものであれば良く、単なる横線や文字で構成することも出来る。又、第二表示についても、その表示の仕方は図や写真、文字などを組み合わせて構成することが出来る。
【産業上の利用可能性】
【００３２】
本発明に係る組立て案内シートは、収納空間を区画する左右両側の垂直側板間に、固定棚、高さ変更可能な可動棚、ハンガーを吊り下げるハンガー支持パイプ、出し入れ自在な引出しなどの各種部材を取り付けて収納用構造体を組み立てる場合の作業を容易にする手段として活用出来る。
【符号の説明】
【００３３】
１    収納用構造体
２Ａ〜２Ｃ    垂直側板
３    第一収納区画
４    第二収納区画
５，８    天板
６，１３    可動棚
７，１０    ハンガー支持パイプ
９    固定棚
１１ａ，１１ｂ    蝶番
１２    開閉扉
１４    ハンガー仮掛け具
１５，１６    取付け孔
１７    雌ネジ孔付き円筒体
１８    ジョイントシャフト固定金具
１９    ジョイントシャフト
２０    ジョイントシャフト係合金具
２１    パイプ受け部材
２３    ネジ
２４    キャップ
２５，３５    組立て案内シート
２５ａ    巾広テープ状シート
２６    位置合わせ部
２６ａ，３３ａ    折り線
２７，２７ａ，２７ｂ，２９，２９ａ，２９ｂ，３１，３１a，３１ｂ    第一表示
２８，３０，３２    第二表示
２８ａ，３２ａ    ジョイントシャフト図
２８ｂ，３０ｂ，３２ｂ    説明図
３０ａ    ネジ及びキャップ図
３３    巾狭テープ状シート
３４    別シート
３６ａ〜３６ｃ，３７ａ〜３７ｃ    符号
【要約】
【課題】収納空間を区画する左右両側の垂直側板間に、固定棚、可動棚、ハンガー支持パイプなどの各種部材を取り付けて収納用構造体を組み立てる場合の作業を容易にする組立て案内シートを提案する。
【解決手段】収納用構造体を構成する垂直側板２Ａの側面に当該垂直側板の高さ方向と平行に当て付けることが出来るテープ状シート２５ａに、前記垂直側板の一端側特定位置に位置合わせするための位置合わせ部２６と、この位置合わせ部を前記垂直側板の一端側特定位置に合致させた状態で当該テープ状シートを前記垂直側板の高さ方向と平行に当て付けたときに取付け孔１５，１６の内の部材取付け対象の特定取付け孔を指し示す第一表示２７ａ，２７ｂ，２９ａ，２９ｂ…と、この第一表示に併記する状態で、特定取付け孔に対して使用する取付け用具及び取り付ける各種部材を表示する第二表示２８，３０…が設けられた構成。
【選択図】図６【図１】
0005473097.tif 000002
【図２】
0005473097.tif 000003
【図３】
0005473097.tif 000004
【図４】
0005473097.tif 000005
【図５】
0005473097.tif 000006
【図６】
0005473097.tif 000007
【図７】
0005473097.tif 000008
【図８】
0005473097.tif 000009
【図９】
0005473097.tif 000010